(57)【要約】【課題】メンテナンスし易い蛍光検出装置を提供する。【解決手段】蛍光検出装置５０は、液体試料が流動する外部流路２０と、外部流路２０に着脱可能に取り付けられ、内部に形成された測定流路が外部流路２０と連通するフローセル６０と、フローセル６０と別体とされ、測定流路を流動する液体試料へフローセル６０の外側から励起光を照射する照射部４２と、フローセル６０と別体とされ、励起光が照射された液体試料から発せられた蛍光をフローセル６０の外側で受光する受光部４４と、を有する。【選択図】図３
2020094932.tif 000002
【特許請求の範囲】
【請求項１】
液体試料が流動する外部流路と、
前記外部流路に着脱可能に取り付けられ、内部に形成された測定流路が前記外部流路と連通するフローセルと、
前記フローセルと別体とされ、前記測定流路を流動する前記液体試料へ前記フローセルの外側から励起光を照射する照射部と、
前記フローセルと別体とされ、前記励起光が照射された前記液体試料から発せられた蛍光を前記フローセルの外側で受光する受光部と、
を有する蛍光検出装置。
【請求項２】
前記照射部と前記受光部とが別体とされ、前記励起光の照射方向と前記蛍光の受光方向が交差している、請求項１に記載の蛍光検出装置。
【請求項３】
前記照射部と前記受光部とが一体となっている、請求項１に記載の蛍光検出装置。
【発明の詳細な説明】
【技術分野】
【０００１】
本発明は、蛍光検出装置に関する。
【背景技術】
【０００２】
下記特許文献１には、受光素子、発光素子及び流路が一体とされた分析装置が記載されている。この分析装置の流路には、照射された光に応じて蛍光を放出する物質を含有した試料を流すことができる。
【先行技術文献】
【特許文献】
【０００３】
【特許文献１】特開２００６−０８４２１０号公報
【発明の概要】
【発明が解決しようとする課題】
【０００４】
上記特許文献１の分析装置では、受光素子、発光素子及び流路が一体とされている。このため流路が試料によって汚れて交換が必要となった場合は、受光素子及び発光素子も併せて交換する必要がある。このためメンテナンスし難い。
【０００５】
本発明は上記事実を考慮して、メンテナンスし易い蛍光検出装置を提供することを目的とする。
【課題を解決するための手段】
【０００６】
請求項１の蛍光検出装置は、液体試料が流動する外部流路と、前記外部流路に着脱可能に取り付けられ、内部に形成された測定流路が前記外部流路と連通するフローセルと、前記フローセルと別体とされ、前記測定流路を流動する前記液体試料へ前記フローセルの外側から励起光を照射する照射部と、前記フローセルと別体とされ、前記励起光が照射された前記液体試料から発せられた蛍光を前記フローセルの外側で受光する受光部と、を有する。
【０００７】
請求項１の蛍光検出装置では、フローセルが外部流路に着脱可能に取り付けられている。また、照射部及び受光部は、それぞれフローセルと別体とされ、フローセルの外側に設けられている。このため、照射部と受光部が液体試料によって汚れにくい。また、フローセルが液体試料によって汚れた場合、照射部及び受光部を残置して、フローセルだけを取り外すことができる。
【０００８】
フローセルの汚れが軽微な場合、測定流路を洗浄すればフローセルは再利用できる。フローセルの汚れが大きい場合、フローセルを交換すればよい。したがって請求項１の蛍光検出装置は、フローセル、照射部及び受光部が一体となっている構成と比較してメンテナンスし易い。
【０００９】
請求項２の蛍光検出装置は、請求項１の蛍光検出装置において、前記照射部と前記受光部とが別体とされ、前記励起光の照射方向と前記蛍光の受光方向が交差している。
【００１０】
請求項２の蛍光検出装置では、励起光の照射方向と蛍光の受光方向が交差している。このため、励起光の照射方向と蛍光の受光方向が一致する場合と比較して、励起光が受光部へ入射し難いので蛍光を検出し易い。
【００１１】
請求項３の蛍光検出装置は、請求項１の蛍光検出装置において、前記照射部と前記受光部とが一体となっている。
【００１２】
請求項３の蛍光検出装置では、照射部と受光部とが一体となっている。このため、照射部と受光部とが別体となっている構成と比較して、必要に応じて蛍光検出装置を小型化することができる。
【発明の効果】
【００１３】
本発明に係る蛍光検出装置はメンテナンスし易い。
【図面の簡単な説明】
【００１４】
【図１】（Ａ）は本発明の第１実施形態に係る蛍光検出装置を示す側面図であり、（Ｂ）は（Ａ）におけるＢ−Ｂ線断面図である。
【図２】（Ａ）は本発明の第１実施形態に係る蛍光検出装置におけるフローセルの接続部を、本体部の軸方向と略直交するように配置した変形例を示す側面図であり、（Ｂ）は本体部の上流側端部壁及び下流側端部壁を本体部の軸方向と略直交するように配置した変形例を示す側面図であり、（Ｃ）はプローブを本体部の側面に接して配置した変形例を示す側面図であり、（Ｄ）は（Ｃ）におけるＤ−Ｄ線断面図である。
【図３】（Ａ）は本発明の第２実施形態に係る蛍光検出装置を示す側面図であり、（Ｂ）は（Ａ）におけるＢ−Ｂ線断面図である。
【図４】本発明の第２実施形態に係る蛍光検出装置におけるフローセル及びホルダを示す斜視図である。
【図５】本発明の第２実施形態に係る蛍光検出装置においてホルダが設置されたプレートを移動させてフローセルを交換している状態を示す側面図である。
【発明を実施するための形態】
【００１５】
以下、本発明に係る蛍光検出装置の実施形態の一例について、図面を参照しながら説明する。各図面において同一の符号を用いて示される構成要素は、同一の構成要素であることを意味する。なお、各図面において重複する構成及び符号については、説明を省略する場合がある。また、本発明は以下の実施形態に限定されるものではなく、本発明の目的の範囲内において、適宜変更を加えて実施することができる。
【００１６】
＜第１実施形態＞
（蛍光検出装置）
図１（Ａ）には、本発明の第１実施形態に係る蛍光検出装置１０（以下、装置１０と称す場合がある）の要部が示されている。装置１０は、外部流路２０と、フローセル３０と、プローブ４０と、を備えて構成されている。
【００１７】
（外部流路）
外部流路２０には液体試料が流動可能とされている。外部流路２０は、フローセル３０へ液体試料を流入させる入口側流路２２と、フローセル３０から液体試料を流出させる出口側流路２４と、を備えている。
【００１８】
入口側流路２２の一端は、フローセル３０と接続するための継手部材２２Ａに接続されている。一方、入口側流路２２における図示しない他端は、液体試料を採取する採取源に接続されている。さらに、採取源の下流側（つまり、採取源とフローセル３０との間）には図示しない送液ポンプが接続されている。この送液ポンプによって、液体試料がフローセル３０へ移動させられる。
【００１９】
なお、液体試料の採取源としては、液体試料の発生源（例えば地下水を採取するために土壌に形成した採取井戸）を使用することができるほか、発生源で採取した液体試料を溜めたタンク等を採取源として使用することもできる。
【００２０】
出口側流路２４の一端は、フローセル３０と接続するための継手部材２４Ａに接続されている。一方、出口側流路２４における図示しない他端は、液体試料を廃棄するドレン管に接続されている。または、出口側流路２４自体がドレン管とされている。
【００２１】
（フローセル）
フローセル３０は、分析対象である液体試料を流動又は滞留させるための容器であり、後述する上流側端部壁３２Ａが、光を透過する素材（以下、透過素材と称す。例えば石英ガラス等）によって形成されている。この透過率は高いほうが好ましい。フローセル３０は、本体部３２と、接続部３４と、接続部３６と、を備えている。
【００２２】
なお、フローセル３０は、上流側端部壁３２Ａだけでなく、全体を透過素材を用いて一体的に形成することもできる。上流側端部壁３２Ａだけを透過素材で形成すればフローセル３０の製造コストを低廉化でき、全体を透過素材で形成すれば異素材の継ぎ目がなくメンテナンスし易い。
【００２３】
本体部３２は、図１（Ｂ）に示すように円形の断面を持つ筒状部であり、筒軸方向に沿って液体試料が流動する測定流路が形成されている。本体部３２における上流側端部には接続部３４が接合され、下流側端部には接続部３６が接合されている。
【００２４】
接続部３４は、継手部材２２Ａに対して着脱可能に接続された筒状部であり、入口側流路２２から本体部３２へ液体試料を案内する。接続部３４は、流路の断面積が本体部３２における流路の断面積より小径とされている。接続部３４は、本体部３２の筒軸方向に対して角度θ１で接続されている。この角度θ１は、９０℃より大きい角度とされている。
【００２５】
なお、本体部３２における上流側端部壁３２Ａは、本体部３２の筒軸方向に対する角度が角度θ１となるように形成されている。さらに、上流側端部壁３２Ａの内側面は接続部３４の内側面と連続するように（直線状に）形成されている。これにより液体試料は、接続部３４から上流側端部壁３２Ａに沿って流れ、本体部３２へ流入する。
【００２６】
同様に、接続部３６は、継手部材２４Ａに対して着脱可能に接続された筒状部であり、本体部３２から出口側流路２４へ液体試料を案内する。接続部３６は、流路の断面積が本体部３２における流路の断面積より小径とされている。接続部３６は、本体部３２の筒軸方向に対して角度θ２で接続されている。この角度θ２は、９０℃より大きい角度とされている。また、角度θ２は、角度θ１と略同一の角度とされている。
【００２７】
なお、図１（Ａ）に示すように、本体部３２の筒軸方向は水平面に対して傾斜して設けられている。これにより、フローセル３０の内部に発生した気泡は、液体試料の流れに乗って、接続部３４から本体部３２へ抜け出し、本体部３２から接続部３６へ抜け出し易い。このため、液体試料における蛍光の計測が、気泡による影響を受け難い。
【００２８】
また、本体部３２における下流側端部壁３２Ｂは、本体部３２の筒軸方向に対する角度が角度θ２となるように形成されている。さらに、下流側端部壁３２Ｂの内側面は接続部３６の内側面と連続するように（直線状に）形成されている。これにより液体試料は、本体部３２から下流側端部壁３２Ｂに沿って流れ、接続部３６へ流出する。
【００２９】
なお、接続部３４、３６にける流路の断面積は、何れも本体部３２における流路の断面積より小径とされているが、本発明の実施形態はこれに限らない。例えば、接続部３４、３６の少なくとも一方における流路の断面積を、本体部３２における流路の断面積と同等程度としてもよい。これにより液体試料の流速を安定させることができる。
【００３０】
（プローブ）
プローブ４０は、本体部３２の測定流路を流れる液体試料に励起光を照射する照射部４２と、励起光が照射された液体試料から発せられた蛍光を受光する受光部４４と、が一体とされた装置である。プローブ４０は、ホルダ４８に着脱可能に固定されている。
【００３１】
なお、「一体とされた」とは、照射部４２と受光部４４とが同一の筐体４６に組み込まれ、かつ、同一面（筐体４６の端面４６Ａ）から励起光が照射され、蛍光を受光する状態を指す。
【００３２】
筐体４６の端面４６Ａは、フローセル３０における本体部３２の上流側端部壁３２Ａにおける外側面と接して配置される。この状態において、励起光Ｐ１が照射部４２から本体部３２の軸方向（即ち液体試料の流動方向）に沿って照射される。また、蛍光Ｐ２のうち、本体部３２の軸方向に沿う成分が、受光部４４によって受光される。筐体４６の端面４６Ａと本体部３２の上流側端部壁３２Ａにおける外側面とは隙間なく密接して配置されているため、受光部４４に迷光が入光することが抑制されている。なお、端面４６Ａと本体部３２の上流側端部壁３２Ａにおける外側面とは、蛍光測定に支障がない程度であれば必ずしも密接している必要はなく、接触しているだけでよく、あるいは離間していてもよい。
【００３３】
フローセル３０の本体部３２において、プローブ４０と反対側には、下流側端部壁３２Ｂの外側面と接する保持部材８６が設置されている。フローセル３０は、プローブ４０と保持部材８６とによって挟まれることで保持される。
【００３４】
プローブ４０と保持部材８６との間の間隔は、プローブ４０及び保持部材８６の少なくとも一方を移動させることで調整できる。これらを相対的に接する方向へ移動させることでフローセル３０を固定できる。また、これらを相対的に離れる方向へ移動させることでフローセル３０の固定が解除される。
【００３５】
フローセル３０の固定が解除された状態で、接続部３４、３６をそれぞれ継手部材２２Ａ、２４Ａから取り外すことにより、装置１０からフローセル３０を取り外すことができる。
【００３６】
なお、フローセル３０を保持する保持機構としては、プローブ４０と保持部材８６とによってフローセル３０を挟む態様に限定されない。例えば半割り形状（略Ｃ型）の環状部材を２つ用いて、フローセル３０の本体部３２の外周面を挟み込んで保持してもよい。
【００３７】
（作用・効果）
第１実施形態の蛍光検出装置１０では、フローセル３０が外部流路２０（すなわち入口側流路２２及び出口側流路２４の双方）に、継手部材２２Ａ、２４Ａを介して着脱可能に取り付けられている。また、照射部である照射部４２と受光部４４とが一体とされたプローブ４０は、フローセル３０と別体とされ、フローセル３０の外側に設けられている。
【００３８】
このため、プローブ４０における照射部４２、受光部４４が液体試料と接触して汚れたり、汚れることにより計測精度が低下することを抑制できる。また、フローセル３０が液体試料によって汚れた場合、プローブ４０を残置して、フローセル３０だけを取り外すことができる。
【００３９】
フローセル３０の汚れが軽微な場合、本体部３２の測定流路を洗浄すればフローセル３０は再利用できる。フローセル３０の汚れが大きい場合、フローセル３０を交換すればよい。したがって装置１０は、フローセル３０が照射部及び受光部と一体となっている構成と比較してメンテナンスし易い。
【００４０】
また、装置１０におけるプローブ４０は、照射部４２と受光部４４とが一体となっている。このため、照射部と受光部とが別体となっている蛍光検出装置と比較して小型化できる。
【００４１】
また、装置１０では、フローセル３０の本体部３２における上流側端部壁３２Ａの内側面が、接続部３４の内側面と連続するように（直線状に）形成されている。さらに上流側端部壁３２Ａは、本体部３２の筒軸方向に対する角度が角度θ１となるように形成されている。この角度θ１は、９０°より大きい角度とされている。
【００４２】
これにより、接続部３４から上流側端部壁３２Ａに沿って流れた液体試料が、本体部３２の外周壁３２Ｃにぶつかって流れが乱れ、気泡や滞留が発生することが抑制される。すなわち、θ１が９０°以下の場合と比較して、液体試料が流れる方向の変化が緩慢となり整流される。
【００４３】
気泡の発生が抑制されることにより励起光が乱反射することが抑制され、また蛍光が拡散することが抑制される。また、滞留の発生が抑制されることにより、フローセル３０の内部が汚れ難い。なお、フローセル３０の本体部３２は円筒状に形成されており隅角部がない。このため、角筒状に形成されている場合と比較して、フローセル３０の汚れ抑制効果がさらに高められている。
【００４４】
また、装置１０では、フローセル３０の本体部３２における下流側端部壁３２Ｂの内側面が、接続部３６の内側面と連続するように（直線状に）形成されている。さらに下流側端部壁３２Ｂは、本体部３２の筒軸方向に対する角度が角度θ２となるように形成されている。この角度θ２は、９０°より大きい角度とされている。係る構成からも、本体部３２から接続部３６へ流出する液体試料が整流されるため、上述したように気泡や滞留が発生することが抑制される。
【００４５】
（変形例）
本実施形態においては、フローセル３０の本体部３２における上流側端部壁３２Ａの内側面が、接続部３４の内側面と連続するように（直線状に）形成されているが、本発明の実施形態はこれに限らない。
【００４６】
例えば図２（Ａ）に示すように、本体部３２における上流側端部壁３２Ａの内側面と接続部３４の内側面とを角度をつけて接続してもよい。このような実施形態においても、上流側端部壁３２Ａが本体部３２の軸方向に対して傾斜して形成されていることにより気泡や滞留が発生することが抑制される。下流側端部壁３２Ｂの内側面と接続部３６の内側面との関係についても同様である。
【００４７】
また、本実施形態においては、フローセル３０の本体部３２における上流側端部壁３２Ａが、本体部３２の筒軸方向に対する角度θ１が９０度より大きい角度となるように形成されているが、本発明の実施形態はこれに限らない。
【００４８】
例えば図２（Ｂ）に示すように、角度θ１を略９０度としてもよい。このような構成によっても、フローセル３０は装置１０（図１参照）から容易に着脱できるので、装置１０のメンテナンス性は高い。
【００４９】
また、本実施形態においては、図１に示すように、励起光Ｐ１が本体部３２の軸方向（即ち液体試料の流動方向）に沿って照射され、蛍光Ｐ２のうち本体部３２の軸方向に沿う成分が受光されるようにプローブ４０を配置したが、本発明の実施形態はこれに限らない。
【００５０】
例えば図２（Ｃ）に示すように、プローブ４０を、フローセル３０の本体部３２における外周壁３２Ｃに沿って配置してもよい。このようにすることで、励起光Ｐ１は本体部３２の軸方向（即ち液体試料の流動方向）と略直交する方向に沿って照射され、蛍光Ｐ２のうち本体部３２の軸方向と略直交する方向に沿う成分が受光される。
【００５１】
なお、図２（Ｃ）に示す実施形態においては、プローブ４０と外周壁３２Ｃを接して配置するために、プローブ４０の端面４６Ａは励起光Ｐ１の照射方向と略直交するように形成することが好ましく、加えて図２（Ｄ）に示すように、フローセル３０の外周壁３２Ｃを角筒状に形成することがさらに好ましい。
【００５２】
このように、フローセル３０は、円形の筒状だけでなく、矩形の筒状としてもよいし、矩形以外の多角形の筒状とすることができる。また、このような多角形状のフローセル３０は、本体部３２の筒軸方向に沿って励起光Ｐ１を照射する実施形態においても適用することができる。
【００５３】
＜第２実施形態＞
（蛍光検出装置）
図３（Ａ）には、本発明の第２実施形態に係る蛍光検出装置５０（以下、装置５０と称す場合がある）の要部が示されている。装置５０は、外部流路２０と、フローセル６０と、ホルダ７０と、を備えて構成されている。
【００５４】
（外部流路）
外部流路２０（入口側流路２２及び出口側流路２４）及び継手部材２２Ａ、２４Ａの構成は第１実施形態と同様であり説明を省略する。
【００５５】
（フローセル）
フローセル６０は、分析対象である液体試料を流動又は滞留させるための容器であり、光を透過する素材（例えば石英ガラス等）によって形成されている。フローセル６０は、本体部６２と、接続部６４、６６と、縮径部６４Ａ、６６Ａと、を備えている。
【００５６】
本体部６２は、図３（Ｂ）に示すように矩形の断面を持つ筒状部であり、図３（Ａ）に示すように筒軸方向に沿って液体試料が流動可能とされた測定流路が形成されている。この測定流路の内径（矩形における一辺の長さ）は例えば約１０ｍｍとされている。本体部６２における上流側端部には縮径部６４Ａを介して接続部６４が接合され、下流側端部には縮径部６６Ａを介して接続部６６が接合されている。
【００５７】
接続部６４は、継手部材２２Ａに対して着脱可能に接続された円形の断面を持つ筒状部であり、入口側流路２２から本体部６２へ液体試料を案内する。接続部６４は、内径が例えば約６ｍｍとされ、流路の断面積が本体部６２における流路（測定流路）の断面積より小径とされている。また、接続部６４は、本体部６２の筒軸方向に沿って接続されている。
【００５８】
縮径部６４Ａは、本体部６２の内径を接続部６４の内径に漸減させる部分であり、また、本体部６２の矩形状を徐々に接続部６４の円形状に変形させる部分である。
【００５９】
同様に、接続部６６は、継手部材２４Ａに対して着脱可能に接続された円形の断面を持つ筒状部であり、本体部６２から出口側流路２４へ液体試料を案内する。接続部６６は、流路の断面積が本体部６２における流路の断面積より小径とされている。また、接続部６６は、本体部６２の筒軸方向に沿って接続されている。
【００６０】
縮径部６６Ａは、本体部６２の内径を接続部６６の内径に漸減させる部分であり、また、本体部６２の矩形状を徐々に接続部６６の円形状に変形させる部分である。なお、接続部６４、６６は、円形状ではなく本体部６２と同様の矩形状としてもよい。この場合、縮径部６４Ａ、６６Ａの断面形状は、矩形状を維持したまま本体部６２から接続部６４、６６に向かって内径が漸減する。
【００６１】
（ホルダ）
ホルダ７０は、図４に示すように略直方体形状の保持部材である。ホルダ７０には、上端面から下端面に貫通する矩形の貫通孔７２が形成されている。この貫通孔７２の形状はフローセル６０の形状より若干大きく、貫通孔７２にはフローセル６０を挿通することができる。貫通孔７２とフローセル６０との隙間にはゴムなどの弾性部材が適宜介装され、フローセル６０を保持している。
【００６２】
ホルダ７０において互いに隣接する２つの側面には、側面から貫通孔７２に貫通する貫通孔７４、７６が形成されている。貫通孔７４、７６にはそれぞれ、照射部４２及び受光部４４が装着可能とされている。この照射部４２、受光部４４、これらに接続された光源及び蛍光分光器の構成は第１実施形態と同様であるが、第２実施形態においては、照射部４２と受光部４４とが異なる位置に配置されている。
【００６３】
照射部４２からは、励起光Ｐ１がフローセル６０における本体部６２の軸方向（即ち液体試料の流動方向）と略直交する方向に照射され、液体試料は蛍光Ｐ２を発する。また、蛍光Ｐ２のうち、本体部６２の軸方向と略直交する方向で、かつ励起光Ｐ１と略直交する方向に沿う成分が、受光部４４によって受光される。すなわち、励起光Ｐ１の照射方向と蛍光Ｐ２の受光方向が略直交している。
【００６４】
ホルダ７０の下端面はプレート８２を介して支持板８０に固定されている。プレート８２は、互いに蝶番８４で接合された２枚のプレート８２Ａ、８２Ｂを備えている。プレート８２Ａは支持板８０に固定されている。プレート８２Ｂは、支持板８０に形成された貫通孔８０Ａを上方から塞ぐと共に、図５に示すように、蝶番８４を回転軸として貫通孔８０Ａを開閉する方向に回転移動可能とされている。これにより、フローセル６０の交換時、フローセル６０をホルダ７０から取り外し易い。
【００６５】
（作用・効果）
第２実施形態の蛍光検出装置５０では、図３（Ａ）に示すように、フローセル６０が外部流路２０（すなわち入口側流路２２及び出口側流路２４の双方）に、継手部材２２Ａ、２４Ａを介して着脱可能に取り付けられている。また、照射部４２及び受光部４４は、何れもフローセル６０と別体とされ、フローセル６０を保持するホルダ７０に装着されている。
【００６６】
このため、照射部４２、受光部４４が液体試料によって汚れることを抑制できる。また、フローセル６０が液体試料によって汚れた場合、ホルダ７０、照射部４２及び受光部４４を残置して、フローセル６０だけを取り外すことができる。
【００６７】
フローセル６０の汚れが軽微な場合、フローセル６０をホルダ７０から取外したうえで本体部６２の測定流路を洗浄すれば、フローセル６０は再利用できる。この際、接合部の内径が約６ｍｍとされているため、６ｍｍ以下の場合と比較して清掃用具を挿入し易い。また、フローセル６０の汚れが大きい場合、フローセル６０を交換すればよい。したがって装置５０は、フローセル６０、照射部及び受光部が一体となっている構成と比較してメンテナンスし易い。
【００６８】
なお、フローセル６０を洗浄するためには、必ずしもフローセル６０をホルダ７０から取り外す必要はない。例えばフローセル６０を取り外さない状態で外部流路２０からフローセル６０へ薬剤を投入して自動洗浄してもよい。また、フローセル６０における接合部の内径は約６ｍｍに限定されるものではなく、適宜変更することができる。
【００６９】
また、装置５０では、図３（Ｂ）に示すように、励起光Ｐ１の照射方向と蛍光Ｐ２の受光方向が交差（略直交）している。このため、励起光の照射方向と蛍光の受光方向が一致する場合と比較して、励起光が受光部へ入射し難いので蛍光を精度よく検出できる
【００７０】
また、装置５０においては、本体部６２と接続部６４との間に縮径部６４Ａが形成されている。この縮径部６４Ａにおいては、本体部６２から接続部６４に向って内径が漸減している。換言すると、接続部６４から本体部６２に向って、流路面積が徐々に大きくなる。
【００７１】
ここで、流路面積が大きくなると流速は小さくなるが、流路面積が急激に増加すると、本体部６２における中心部分と周辺部分との流速差が大きくなる。この場合、本体部６２において流れが乱れ気泡や滞留が発生する可能性がある。これに対してフローセル６０においては縮径部６４Ａが形成されているため、本体部６２における中心部分と周辺部分との流速差が大きくなり難く、気泡や滞留が発生し難い。このため、縮径部６４Ａが形成されていない場合と比較して計測精度が低下し難く、フローセル６０が汚れ難い。
【００７２】
（変形例）
第２実施形態においては、励起光Ｐ１を１方向のみから照射するものとしたが、本発明の実施形態はこれに限らない。例えば図３（Ｂ）に破線で示すように、励起光Ｐ１に加え、励起光Ｐ３をフローセル６０における本体部６２の異なる面から照射してもよい。これにより、蛍光Ｐ２と異なる蛍光Ｐ４を検出することができる。このようにすることで、例えば、液体試料に２種類の蛍光物質が含まれている場合に、それぞれの蛍光物質を検出することができる。
【００７３】
また、フローセル６０には縮径部６４Ａ、６６Ａが形成され、接続部６４、６６における流路の断面積が何れも本体部６２における流路の断面積より小径とされているが、本発明の実施形態はこれに限らない。例えばフローセル６０に縮径部６４Ａ、６６Ａを形成せず、本体部６２と接続部６４、６６とを同径としてもよい。
【００７４】
また、本実施形態における装置５０においては、フローセル６０をホルダ７０から取外す際に、図５に示すように、プレート８２Ｂを回転移動するものとしたが、本発明の実施形態はこれに限らない。例えばホルダ７０を固定するプレート８２Ｂは、蝶番８４などの回転機構を必ずしも備える必要はなく、支持板８０に固定してもよい。プレート８２Ｂが支持板８０に固定されていても、外部流路２０を動かしたり継手部材２２Ａ、２４Ａを動かしたりすることでフローセル６０をホルダ７０から取外すことができる。このように、本発明は様々な態様で実施することができる。また、これらの態様は適宜組合わせて用いる事ができる。
【符号の説明】
【００７５】
１０  蛍光検出装置
２０  外部流路
２２  入口側流路（外部流路）
２４  出口側流路（外部流路）
３０  フローセル
４２  照射部
４４  受光部
５０  蛍光検出装置
６０  フローセル
Ｐ１  励起光
Ｐ２  蛍光
【図１】
2020094932.tif 000003
【図２】
2020094932.tif 000004
【図３】
2020094932.tif 000005
【図４】
2020094932.tif 000006
【図５】
2020094932.tif 000007